(57)【要約】【課題】ある入賞装置への遊技球の入賞をトリガとして、別の入賞装置が、遊技球が入賞し難い状態から入賞し易い状態に連動的に切り換わる遊技機において、トリガとなる入賞装置への入賞後に、入賞し易い状態に連動的に切り換わった別の入賞装置に遊技球が実際に入賞する数を安定化させる。【解決手段】遊技機の遊技盤20に、(a)第１の入賞装置86と、(b)第２の入賞装置84であって、第１の入賞装置への入賞をトリガとして、入賞を制限する制限状態から、制限しない非制限状態に連動的に切り換わり、かつ、第２の入賞装置への入賞数が設定数に達すると制限状態に復元するものと、(c)少なくとも上記非制限状態において遊技球が第１の入賞装置より第２の入賞装置に優先的に入賞するように、それら入賞装置に入賞するための遊技球の経路におけるその遊技球の流れを制御する手段N1~N9,332,350,352とを設ける。【選択図】図６
2005312750.tif 000002
【特許請求の範囲】
【請求項１】
遊技者が遊技を行うための遊技機であって、
遊技者が遊技を行うための遊技盤に、
（ａ）遊技球が入賞すべき第１の入賞装置と、
（ｂ）遊技球が入賞すべき第２の入賞装置であって、遊技球が前記第１の入賞装置に入賞することをトリガとして、遊技球の入賞を制限する制限状態から、制限しない非制限状態に連動的に切り換わり、かつ、その非制限状態において前記第２の入賞装置に入賞した遊技球の数である第２の入賞数が第２の設定数に到達することを条件に、前記制限状態に復元するものと、
（ｃ）少なくとも前記非制限状態において遊技球が前記第１の入賞装置より前記第２の入賞装置に優先的に入賞するように、それら第１および第２の入賞装置にそれぞれ入賞するための遊技球の経路である第１および第２の入賞経路のうちの少なくとも一方におけるその遊技球の流れを制御する流れ制御手段と
が設けられた遊技機。
【請求項２】
前記流れ制御手段は、遊技球が前記第１の入賞装置に入賞した後に別の遊技球がその第１の入賞装置に入賞しないうちに前記第２の入賞数が前記第２の設定数に到達するように、遊技球を前記第２の入賞装置に誘導する誘導手段を含む請求項１に記載の遊技機。
【請求項３】
前記第２の入賞装置は、前記遊技盤に設けられた一対の可動部であって、前記制限状態を実現する閉位置と、前記非制限状態を実現する開位置とに変位可能であるものを含み、
当該遊技機は、さらに、前記遊技盤に設けられた構造物であって、前記一対の可動部との間に空間が形成され、その空間は、前記開位置においては狭いが、前記閉位置においては広くなるように変化させられるものを含み、
前記誘導手段は、前記第２の入賞装置と前記構造物とに関連付けられ、前記開位置にある前記一対の可動部のうち遊技球が衝突する面と、前記構造物のうち遊技球が衝突する面との共同により、遊技球を前記第２の入賞装置に誘導するものである請求項２に記載の遊技機。
【請求項４】
前記第２の入賞装置は、開閉する一対の可動部であって、前記制限状態を実現する閉位置と、前記非制限状態を実現する開位置とに変位可能であるものを含み、
前記流れ制御手段は、前記遊技盤に設けられた構造物であって、前記一対の可動部との間に空間が形成され、その空間は、前記閉位置においては、前記第１の入賞経路として機能し得るように広いが、前記開位置においては、前記第１の入賞経路としては機能し得ないように狭くなるように変化させられるものを含む請求項１または２に記載の遊技機。
【請求項５】
前記第１および第２の入賞装置は、いずれも、閉位置と開位置とに変位可能な一対の可動部を含み、かつ、前記閉位置においては、遊技球が前記入賞装置に入賞することを制限する制限状態が、前記一対の可動部が隙間を残して互いに対向する状態で実現され、一方、前記開位置においては、遊技球が前記入賞装置に入賞することを制限しない非制限状態が実現され、
当該遊技機は、さらに、それら第１および第２の入賞装置のうちの少なくとも一方である対象入賞装置に関連付けて設けられ、その対象入賞装置に対応する前記一対の可動部の閉位置においてそれら一対の可動部間の隙間を完全にまたは部分的に塞ぐ閉塞部を含む請求項１ないし４のいずれかに記載の遊技機。
【請求項６】
遊技者が遊技球を用いて遊技を行うための遊技盤に装着されて使用される遊技盤用入賞装置ユニットであって、
請求項１ないし５のいずれかに記載の第１の入賞装置と、
請求項１ないし５のいずれかに記載の第２の入賞装置と、
請求項１ないし５のいずれかに記載の流れ制御手段と
を含む遊技盤用入賞装置ユニット。
【発明の詳細な説明】
【技術分野】
【０００１】
本発明は、ある入賞装置への遊技球の入賞をトリガとして、別の入賞装置が、遊技球が入賞し難い状態から入賞し易い状態に連動的に切り換わる連動式の遊技機および遊技盤用入賞装置ユニットに関するものであり、特に、トリガとなる入賞装置への遊技球の入賞後に、入賞し易い状態に連動的に切り換わった別の入賞装置に遊技球が実際に入賞する数を安定化させる技術に関するものである。
【背景技術】
【０００２】
遊技者が遊技を行うための遊技機として、パチンコ機やアレンジボール遊技機などが既に知られている。この遊技機の一形式として、遊技盤が入賞装置を複数個備え、かつ、それら複数個の入賞装置を相互に連動させるいわゆる連動式の遊技機が既に存在する（例えば、特許文献１参照。）。
【０００３】
この種の遊技機は、一般に、遊技者が遊技を行うための遊技盤に、（ａ）遊技球が入賞すべき第１の入賞装置と、（ｂ）遊技球が入賞すべき第２の入賞装置であって、遊技球が第１の入賞装置に入賞することをトリガとして、遊技球の入賞を制限する制限状態から、制限しない非制限状態に機械的にまたは電気的に連動的に切り換わるものとが設けられるように構成される。
【０００４】
ここに、「第２の入賞装置」は、例えば、互いに共同して遊技球の入口を構成するとともに開閉可能な一対の可動部（例えば、チューリップ状を成す一対の可動片や羽根）を含むように構成される場合がある。この場合には、上述の「制限状態」は、例えば、それら一対の可動部が最も閉じた状態、または最も開いた状態から少しでも閉じた状態を意味し、一方、上述の「非制限状態」は、例えば、それら一対の可動部が最も開いた状態、または最も閉じた状態から少しでも開いた状態を意味する。
【０００５】
この種の遊技機においては、さらに、上述の第２の入賞装置が、遊技球の入賞を制限しない非制限状態においてこの第２の入賞装置に入賞した遊技球の数である第２の入賞数が第２の設定数に到達することを条件に、遊技球の入賞を制限する制限状態に復元するように構成される。
【０００６】
この種の遊技機においては、さらに、第２の入賞装置が制限状態に復元した後、第１の入賞装置に遊技球が入賞すると、第２の入賞装置が再度、制限状態から非制限状態に移行する。この種の遊技機においては、そのような第１および第２の入賞装置間の連動により、遊技者が感じ得る興趣が増す。
【特許文献１】特開２０００−２３３０５１号公報
【発明の開示】
【発明が解決しようとする課題】
【０００７】
上述の連動式の遊技機においては、第１の入賞装置に遊技球Ａが入賞したことによって第２の入賞装置が制限状態から非制限状態に切り換わると、第２の入賞装置に遊技球が入賞し易くなる。そして、その非制限状態において第２の入賞数が第２の設定数に到達した後に第１の入賞装置へ次の遊技球Ｂが入賞する場合には、第１の入賞装置へある遊技球Ａが入賞してから次の遊技球Ｂが入賞するまでの期間（以下、「ラウンド」という。）中に第２の入賞装置に入賞し得る遊技球の数は、第２の設定数と同数となる。
【０００８】
しかし、第２の入賞数が第２の設定数に到達しないうちに第１の入賞装置に遊技球が入賞する場合には、ある回のラウンド中に第２の入賞装置に入賞し得る遊技球の数が、第２の入賞数が第２の設定数に到達した後に第１の入賞装置に遊技球が入賞する場合に第２の入賞装置に遊技球が入賞し得る数（以下、「最大入賞数」という。第２の設定数Ｎ０個と一致する。）より、減少してしまう。以下、このことを具体的に説明する。
【０００９】
第２の入賞装置は、例えば、第１の入賞装置に遊技球が入賞すると、前回のラウンド中に第２の入賞装置に入賞した第２の入賞数Ｎをクリアするように設計することが可能である。第２の入賞装置をこのように設計した場合には、第２の入賞数Ｎが第２の設定数Ｎ０より少ないＮＳ個である時点、すなわち、第２の入賞装置が制限状態に復元するまでに（Ｎ０−ＮＳ）個の遊技球が追加的に第２の入賞装置に入賞し得る時点で、第１の入賞装置に遊技球が入賞すると、第２の入賞数ＮＳは０にクリアされる。
【００１０】
そのため、今回の事例においては、ある回のラウンド中に第２の入賞装置に入賞し得る遊技球の数は、Ｎ０個より少ないＮＳ個となる。その結果、このように設計された第２の入賞装置を採用する場合には、第２の入賞数Ｎが第２の設定数Ｎ０に到達しないうちに第１の入賞装置に遊技球が入賞してしまうと、今回のラウンド中に第２の入賞装置に入賞し得る遊技球の数は、前述の最大入賞数Ｎ０個より、（Ｎ０−ＮＳ）個少ない。
【００１１】
すなわち、今回の事例においては、第２の入賞数Ｎが第２の設定数Ｎ０に到達しないうちに第１の入賞装置に遊技球が入賞してしまうと、第１の入賞装置の１回分のラウンドによって第２の入賞装置に入賞させる遊技が途中で終了させられてしまうのである。
【００１２】
これに対し、第２の入賞装置は、例えば、第２の入賞数Ｎが第２の設定数Ｎ０に到達しない限り、第２の入賞数Ｎをクリアしないように設計することが可能である。第２の入賞装置をこのように設計した場合には、第２の入賞数Ｎが第２の設定数Ｎ０より少ないＮＳ個である時点、すなわち、第２の入賞装置が制限状態に復元するまでに（Ｎ０−ＮＳ）個の遊技球が追加的に第２の入賞装置に入賞し得る時点で、第１の入賞装置に遊技球が入賞しても、第２の入賞数ＮＳは０にクリアされない。
【００１３】
この点、第２の入賞装置が前述のように設計された場合とは異なるのであるが、今回のように設計された第２の入賞装置においては、第１の入賞装置に新たに遊技球が入賞したために次回のラウンドが開始されると、第２の入賞装置においては、第２の入賞数のカウントが０から開始されるのではなく、ＮＳ個から開始されてしまう。この点も、第２の入賞装置が前述のように設計された場合とは異なる。
【００１４】
したがって、今回の事例においては、前回のラウンド中に第２の入賞装置に入賞し得る遊技球の数は、ＮＳ個であり、最大入賞数Ｎ０個より（Ｎ０−ＮＳ）個少ないうえに、今回のラウンド中に第２の入賞装置に入賞し得る遊技球の数は、せいぜい（Ｎ０−ＮＳ）個であり、最大入賞数Ｎ０個よりＮＳ個少ない。このように、今回の事例においては、前回のラウンドのみ注目しても、第２の入賞装置への遊技球の入賞数が最大入賞数Ｎ０個より少なく、しかも、その悪影響が次回のラウンドに波及してしまうために、次回のラウンドにおいても、第２の入賞装置への遊技球の入賞数が最大入賞数Ｎ０個より少ない。
【００１５】
すなわち、今回の事例においては、第２の入賞数Ｎが第２の設定数Ｎ０に到達しないうちに第１の入賞装置に遊技球が入賞してしまうと、第１の入賞装置の１回分のラウンドによって第２の入賞装置に入賞させる遊技が途中で終了させられてしまううえに、第２の入賞数がクリアされることなく次回のラウンドにスキップさせられてしまうのである。
【００１６】
いずれにしても、この連動式の遊技機においては、第２の入賞数が第２の設定数に到達しないうちに第１の入賞装置に遊技球が入賞してしまうか否かにより、第２の入賞装置に入賞し得る遊技球の数が変動する。その数は、第２の入賞装置への遊技球の入賞に応じて遊技者に払い出される遊技球である賞球の数に反映されるため、結局、この連動式の遊技機においては、第２の入賞装置への入賞に応じた賞球の数が安定し難いという性質がある。
【００１７】
以上説明した事情を背景にして、本発明は、ある入賞装置への遊技球の入賞をトリガとして、別の入賞装置が、遊技球が入賞し難い状態から入賞し易い状態に連動的に切り換わる連動式の遊技機および遊技盤用入賞装置ユニットにおいて、トリガとなる入賞装置への遊技球の入賞後に、入賞し易い状態に連動的に切り換わった別の入賞装置に遊技球が実際に入賞する数を安定化させることを課題としてなされたものである。
【課題を解決するための手段】
【００１８】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００１９】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００２０】
（１）  遊技者が遊技を行うための遊技機であって、
遊技者が遊技を行うための遊技盤に、
（ａ）遊技球が入賞すべき第１の入賞装置と、
（ｂ）遊技球が入賞すべき第２の入賞装置であって、遊技球が前記第１の入賞装置に入賞することをトリガとして、遊技球の入賞を制限する制限状態から、制限しない非制限状態に連動的に切り換わり、かつ、その非制限状態において前記第２の入賞装置に入賞した遊技球の数である第２の入賞数が第２の設定数に到達することを条件に、前記制限状態に復元するものと、
（ｃ）少なくとも前記非制限状態において遊技球が前記第１の入賞装置より前記第２の入賞装置に優先的に入賞するように、それら第１および第２の入賞装置にそれぞれ入賞するための遊技球の経路である第１および第２の入賞経路のうちの少なくとも一方におけるその遊技球の流れを制御する流れ制御手段と
が設けられた遊技機。
【００２１】
この遊技機においては、第１および第２の入賞装置がそれぞれトリガ入賞装置および連動入賞装置として設けられた遊技盤にさらに、その遊技盤上における遊技球の流れを制御する流れ制御手段が設けられる。この流れ制御手段は、少なくとも第２の入賞装置の非制限状態（入賞し易い状態）において、遊技球が第１の入賞装置より第２の入賞装置に優先的に入賞するように、それら第１および第２の入賞装置にそれぞれ入賞するための遊技球の経路である第１および第２の入賞経路のうちの少なくとも一方におけるその遊技球の流れを制御する。
【００２２】
したがって、この遊技機によれば、少なくとも第２の入賞装置の非制限状態（入賞し易い状態）において、遊技球が第１の入賞装置より第２の入賞装置に優先的に入賞するようになるため、第２の入賞数が第２の設定数に到達しないうちに第１の入賞装置に遊技球が入賞してしまう確率が、上述の流れ制御手段を有しない従来の遊技機より減少する。
【００２３】
よって、この遊技機によれば、トリガとなる入賞装置への遊技球の入賞後に、入賞し易い状態に連動的に切り換わった別の入賞装置に遊技球が実際に入賞する数が従来の遊技機より安定する。その結果、遊技者にとっては、トリガとなる入賞装置に遊技球が入賞したことに応じて遊技者が獲得できる利益、すなわち、遊技者に払い出される遊技球の数の保証に対する期待感および信頼感が増す。
【００２４】
（２）  前記第２の入賞装置は、前記第２の入賞数が前記第２の設定数に到達しない限り、前記第２の入賞数をクリアしない（１）項に記載の遊技機。
【００２５】
前記（１）項に係る遊技機は、第２の入賞装置が、第１の入賞装置に遊技球が入賞すると第２の入賞数をクリアする第１の態様で実施することが可能である。この第１の態様においては、前述のように、第２の入賞数が第２の設定数に到達しないうちに第１の入賞装置に遊技球が入賞してしまうと、第１の入賞装置の１回分のラウンドによって第２の入賞装置に入賞させる遊技が途中で終了させられてしまう。しかし、その終了時に第２の入賞数がクリアされるため、前回のラウンドの途中終了による悪影響が次回のラウンドに波及することは回避される。
【００２６】
これに対し、前記（１）項に係る遊技機を、第２の入賞装置が、第２の入賞数が第２の設定数に到達しない限り、第２の入賞数をクリアしない第２の態様で実施することが可能である。この第２の態様においては、前述のように、第２の入賞数が第２の設定数に到達しないうちに第１の入賞装置に遊技球が入賞してしまうと、第１の入賞装置の１回分のラウンドによって第２の入賞装置に入賞させる遊技が途中で終了させられてしまううえに、第２の入賞数がクリアされることなく次回のラウンドにスキップさせられてしまう。
【００２７】
したがって、第２の入賞数が第２の設定数に到達しないうちに第１の入賞装置に遊技球が入賞したことが原因で、１回のラウンド中に第２の入賞装置に入賞し得る遊技球の数が前述の最大入賞数から減少する量は、第２の態様を採用する場合の方が第１の態様を採用する場合より多い。よって、前記（１）項に係る遊技機のうちの技術的特徴、すなわち、流れ制御手段は、第２の態様と組み合わせて採用する場合の方が、第１の態様と組み合わせて採用する場合より効果的である可能性がある。
【００２８】
以上説明した知見に基づき、本項に係る遊技機においては、第２の入賞装置が、第２の入賞数が第２の設定数に到達しない限り、第２の入賞数をクリアしないものとされている。
【００２９】
（３）  前記流れ制御手段は、前記遊技球の流れを機械的に制御する（１）または（２）項に記載の遊技機。
【００３０】
この遊技機によれば、第２の入賞装置に入賞する遊技球の数を安定化させるために遊技球の流れが機械的に制御されるため、電気的に制御される場合とは異なり、遊技球の流れを制御するために電力が消費されずに済む。したがって、この遊技機によれば、他の部品によって電力が消費されるにしても、この遊技機全体として消費される電力の節減が容易となる。
【００３１】
（４）  前記流れ制御手段は、前記第２の入賞数が前記第２の設定数に到達しないうちに別の遊技球が前記第１の入賞装置に入賞しないように、前記第１の入賞経路における遊技球の流れを制限する制限手段を含む（１）ないし（３）項のいずれかに記載の遊技機。
【００３２】
この遊技機においては、遊技球が第１の入賞装置より第２の入賞装置に優先的に入賞する状態が、第１の入賞装置に入賞するための遊技球の経路である第１の入賞経路における遊技球の流れを制限する制限手段により、実現される。
【００３３】
（５）  前記流れ制御手段は、遊技球が前記第１の入賞装置に入賞した後に別の遊技球がその第１の入賞装置に入賞しないうちに前記第２の入賞数が前記第２の設定数に到達するように、遊技球を前記第２の入賞装置に誘導する誘導手段を含む（１）ないし（４）項のいずれかに記載の遊技機。
【００３４】
この遊技機においては、遊技球が第１の入賞装置より第２の入賞装置に優先的に入賞する状態が、遊技球を第２の入賞装置に誘導する誘導手段により、実現される。
【００３５】
（６）  前記制限手段は、
（ａ）前記遊技盤に設けられ、前記第２の入賞装置が前記制限状態にあるか前記非制限状態にあるかに応答して作動する作動部であって、前記制限状態においては、前記第１の入賞経路における遊技球の流れを邪魔しない位置にあるが、前記非制限状態においては、前記第１の入賞経路における遊技球の流れを邪魔する位置に変位するものと、
（ｂ）その作動部と前記第２の入賞装置とを互いに連動させる連動装置と
を含む（４）項に記載の遊技機。
【００３６】
この遊技機においては、第２の入賞装置が制限状態にあるか非制限状態にあるかに応答して作動する作動部が第２の入賞装置に機械的にまたは電気的に連動するように設けられる。その作動部は、第２の入賞装置の制限状態においては、第１の入賞経路における遊技球の流れを邪魔しない位置にあるが、第２の入賞装置の非制限状態においては、第１の入賞経路における遊技球の流れを邪魔する位置に変位する。
【００３７】
したがって、この遊技機によれば、第２の入賞装置の非制限状態において作動部が第１の入賞経路における遊技球の流れを邪魔することにより、遊技球が第１の入賞装置より第２の入賞装置に優先的に入賞する状態が実現される。さらに、この遊技機によれば、遊技球の流れを邪魔するという単純でありながら確実に目的を達成し得る手法により、遊技球が第１の入賞装置より第２の入賞装置に優先的に入賞する状態が実現される。
【００３８】
本項における「作動部」は、遊技球の流れを邪魔するために専ら利用される専用部品として構成することが可能であるが、同じ遊技機における他の装置（例えば、第２の入賞装置）の全部または一部としても機能する共用部品として構成することも可能である。
【００３９】
上述の専用部品の一例は、第２の入賞装置の開閉状態に連動するように遊技盤に設けられた可動板である。この可動板は、第２の入賞装置の開状態においては、遊技盤の表面から突出または起立して第１の入賞装置への遊技球の入賞を阻止する一方、第２の入賞装置の閉状態においては、遊技盤の表面に埋没または伏臥して第１の入賞装置への遊技球の入賞を阻止しないように作動させられる。
【００４０】
これに対し、上述の共用部品の一例は、第２の入賞装置において開状態と閉状態とに変位する一対の可動部（例えば、チューリップ状を成す一対の可動片や羽根）である。それら一対の可動部は、閉状態においては、第２の入賞装置への遊技球の入賞を制限する一方、開状態においては、第２の入賞装置への遊技球の入賞は制限しないが、第１の入賞装置への遊技球の入賞は制限ないしは阻止するように作動させられる。
【００４１】
（７）  前記第２の入賞装置は、前記遊技盤に設けられた一対の可動部であって、前記制限状態を実現する閉位置と、前記非制限状態を実現する開位置とに変位可能であるものを含み、
当該遊技機は、さらに、前記遊技盤に設けられた構造物であって、前記一対の可動部との間に空間が形成され、その空間は、前記開位置においては狭いが、前記閉位置においては広くなるように変化させられるものを含み、
前記誘導手段は、前記第２の入賞装置と前記構造物とに関連付けられ、前記開位置にある前記一対の可動部のうち遊技球が衝突する面と、前記構造物のうち遊技球が衝突する面との共同により、遊技球を前記第２の入賞装置に誘導するものである（５）項に記載の遊技機。
【００４２】
この遊技機においては、遊技盤上において、構造物（例えば、固定壁、案内レール、釘、風車等）と、開閉する一対の可動部であって第２の入賞装置に属するものとの間に空間が形成される。この空間は、一対の可動部の開位置（第２の入賞装置の非制限状態に対応する。）においては狭いが、閉位置においては広くなるように変化させられる。
【００４３】
さらに、この遊技機においては、それら第２の入賞装置と構造物とに関連付けて誘導手段が設けられる。この誘導手段は、開位置（第２の入賞装置の非制限状態に対応する。）にある一対の可動部のうち遊技球が衝突する面と、構造物のうち遊技球が衝突する面との共同により、遊技球を第２の入賞装置に誘導する。
【００４４】
したがって、この遊技機によれば、第２の入賞装置の非制限状態において、一対の可動部のうち遊技球が衝突する面と、構造物のうち遊技球が衝突する面との共同により、遊技球が第１の入賞装置より第２の入賞装置に優先的に入賞する状態が実現される。
【００４５】
この遊技機においては、上述の誘導手段を実施するために、遊技盤に専用部品を追加することが不可欠であるわけではない。上述の一対の可動部がそもそも、第２の入賞装置に属する既存部品である場合や、上述の構造物が、上述の誘導手段としての機能を持たせることを目的として設けられているか否かにかかわらず遊技盤に設けられる既存部品である場合がある。それらの場合には、それら既存部品を利用することにより、上述の誘導手段を実施することが可能である。
【００４６】
このように既存部品を利用する場合には、上述の誘導手段を実施するために専用部品を遊技盤に追加せずに済むため、部品点数の増加を回避しつつ、遊技球が第１の入賞装置より第２の入賞装置に優先的に入賞する状態が実現される。
【００４７】
（８）  前記第２の入賞装置は、開閉する一対の可動部であって、前記制限状態を実現する閉位置と、前記非制限状態を実現する開位置とに変位可能であるものを含み、
前記流れ制御手段は、前記遊技盤に設けられた構造物であって、前記一対の可動部との間に空間が形成され、その空間は、前記閉位置においては、前記第１の入賞経路として機能し得るように広いが、前記開位置においては、前記第１の入賞経路としては機能し得ないように狭くなるように変化させられるものを含む（１）ないし（５）項のいずれかに記載の遊技機。
【００４８】
この遊技機においては、前記（７）項に係る遊技機と同様に、遊技盤上において、構造物と、開閉する一対の可動部であって第２の入賞装置に属するものとの間に空間が形成される。この空間は、一対の可動部の閉位置においては、前述の第１の入賞経路として機能し得るように広いが、開位置（第２の入賞装置の非制限状態に対応する。）においては、第１の入賞経路としては機能し得ないように狭くなるように変化させられる。
【００４９】
したがって、この遊技機においては、第２の入賞装置の非制限状態において、構造物と一対の可動部との間における空間が第１の入賞経路としては機能し得ないほどに、すなわち、その空間を通過した遊技球が第１の入賞装置に入賞してしまうことがないほどに、狭くされる。それにより、遊技球が第１の入賞装置より第２の入賞装置に優先的に入賞する状態が実現される。
【００５０】
この遊技機においては、構造物と一対の可動部との間における空間の広狭を制御するために構造物が利用され、かつ、その構造物は、一対の可動部との共同により、その空間の広狭が制御されるように適合させられる。したがって、そのような構造物が前述の流れ制御手段として機能することになるが、その構造物は、例えばそれの形状や位置のみに関して専用化されたものであれば足り、その存在自体も専用であることは不可欠ではない。すなわち、既存部品である従来の構造物を利用し、それの形状や位置を変更することにより、上述の流れ制御手段を実現することが可能なのである。
【００５１】
（９）  当該遊技機は、さらに、前記第１および第２の入賞装置間の連動を、落下する遊技球を利用して機械的に行う第１の連動機構を含む（１）ないし（８）項のいずれかに記載の遊技機。
【００５２】
この遊技機によれば、第１および第２の入賞装置間の連動を電気的に行うか、または機械的に行うにしても遊技球の落下を利用せずに行う場合に比較し、その連動のための機構を単純化したり軽量化することが容易である。
【００５３】
（１０）  前記第１の入賞装置は、常には、遊技球の入賞を制限する制限状態にあるが、設定条件が成立すると、遊技球の入賞を制限しない非制限状態に切り換わる（１）ないし（９）項のいずれかに記載の遊技機。
【００５４】
この遊技機によれば、第１の入賞装置への遊技球の入賞し易さが可変であるため、固定である場合に比較し、遊技の展開に変化が与えられて、遊技者が感じ得る興趣が増す。
【００５５】
（１１）  さらに、前記遊技盤に進入した遊技球を、可動部との接触により、特別入賞口と非特別入賞口とに振り分ける振分け装置が前記遊技盤に設けられ、前記設定条件は、遊技球が前記特別入賞口に入賞した場合に成立する（１０）項に記載の遊技機。
【００５６】
この遊技機によれば、第２の入賞装置が第１の入賞装置に連動させられることに加えて、その第１の入賞装置が別の入賞装置に連動させられる。これにより、同じ遊技盤上において相互に連動させられる入賞装置の数が増加し、その結果、遊技の展開のスケールおよびダイナミックさが増加し、遊技者が感じ得る興趣が増す。
【００５７】
さらに、この遊技機においては、第１の入賞装置のトリガとなる別の入賞装置が、遊技盤に進入した遊技球を、可動部との接触により、特別入賞口と非特別入賞口とに振り分ける振分け装置として構成される。したがって、この遊技機によれば、第１の入賞装置のトリガとなる別の入賞装置を、上述の振分け装置より単純な入賞装置として構成する場合より、遊技の展開に変化が与えられて、遊技者が感じ得る興趣が増す。
【００５８】
（１２）  当該遊技機は、さらに、前記振分け装置と前記第１の入賞装置との間の連動を、落下する遊技球を利用して機械的に行う第２の連動機構を含む（１１）項に記載の遊技機。
【００５９】
この遊技機によれば、振分け装置と第１の入賞装置との間の連動を電気的に行うか、または機械的に行うにしても遊技球の落下を利用せずに行う場合に比較し、その連動のための機構を単純化したり軽量化することが容易である。
【００６０】
（１３）  前記第１の入賞装置は、前記非制限状態においてその第１の入賞装置に入賞した遊技球の数である第１の入賞数が、前記第２の設定数より少ない第１の設定数に到達することを条件に、前記制限状態に復元する（１０）ないし（１２）項のいずれかに記載の遊技機。
【００６１】
第１の入賞装置が非制限状態から制限状態に復元するまでにその第１の入賞装置に入賞しなければならない遊技球の数、すなわち、第１の設定数は、第２の設定数より多くなるように設定することが可能である。ここに、第１の入賞装置は、第１および第２の入賞装置のうち、第２の入賞装置の非制限状態において遊技球が優先的に入賞しない方である。
【００６２】
しかし、第１の設定数をそのように設定した場合には、第１および第２の入賞装置のうち、遊技球が入賞し難い方に、より多数の遊技球が入賞しない限り、それら入賞装置への遊技球の入賞に伴う遊技球の一連の払出しが完了しない。
【００６３】
このことは、その一連の払出しに費やさなければならない遊技球（遊技盤内に投入されたが第１および第２の入賞装置に入賞することなく遊技盤から排出されるいわゆる無駄球を含む。）の数および時間の長さが、第１の設定数を第２の設定数より少なくなるように設定する場合より、増加することを意味する。
【００６４】
このような知見に基づき、本項に係る遊技機においては、第１の入賞装置が、非制限状態においてその第１の入賞装置に入賞した遊技球の数である第１の入賞数が、第２の設定数より少ない第１の設定数に到達することを条件に、制限状態に復元するものとされている。
【００６５】
したがって、この遊技機によれば、第１および第２の入賞装置への遊技球の入賞に伴う遊技球の一連の払出しに費やされる遊技球の数および時間の長さが、第１の設定数を第２の設定数より多くなるように設定する場合より、減少する。その結果、遊技者にとっては、遊技の展開のスピード感が増し、また、遊技機を設置するホールの経営者にとっては、遊技機の稼働率が増す。
【００６６】
（１４）  前記第１および第２の入賞装置は、第１の入賞装置が第２の入賞装置の実質的に略真下に位置するように、前記遊技盤に配置されている（１）ないし（１３）項のいずれかに記載の遊技機。
【００６７】
この遊技機においては、第１の入賞装置が第２の入賞装置の実質的に略真下に位置するように遊技盤に配置されている。一方、この種の遊技機においては、一般に、入賞装置の遊技盤上における位置が上方である場合には、下方である場合より、その入賞装置に遊技球が入賞し易い。
【００６８】
したがって、この遊技機においては、第１および第２の入賞装置のうち、第２の入賞装置の非制限状態において遊技球が優先的に入賞する方である第２の入賞装置が、第１の入賞装置より上方に位置するように遊技盤に配置されることになる。
【００６９】
よって、この遊技機によれば、第１および第２の入賞装置への遊技球の入賞に伴う遊技球の一連の払出しに費やされる遊技球の数および時間の長さが、第２の入賞装置が第１の入賞装置の実質的に略真下に位置するか、または横一列に並ぶように遊技盤に配置される場合より、減少する。その結果、遊技者にとっては、遊技の展開のスピード感が増し、また、遊技機を設置するホールの経営者にとっては、遊技機の稼働率が増す。
【００７０】
さらに、この遊技機によれば、遊技盤上における遊技球の落下方向に第２の入賞装置と第１の入賞装置とがそれらの順に並ぶため、遊技球が第１の入賞装置より第２の入賞装置に優先的に入賞する状態が実現されていることと相俟って、遊技者は、遊技球を遊技盤に投入する際に、遊技球の狙いを継続的に第２の入賞装置に設定すれば足り、タイミングに応じて遊技球の狙いを第２の入賞装置と第１の入賞装置とに切り換えずに済む。
【００７１】
その結果、遊技者は、トリガとなる入賞装置に遊技球が入賞したことに応じて遊技者が獲得できる利益を極大化するために面倒な操作や熟練を要する操作を行わずに済む。このことは、面倒な操作や熟練を要する操作を行うことなく、予定された利益を遊技者が確実に獲得できることに寄与することを意味する。
【００７２】
（１５）  前記第１および第２の入賞装置は、いずれも、閉位置と開位置とに変位可能な一対の可動部を含み、かつ、前記閉位置においては、遊技球が前記入賞装置に入賞することを制限する制限状態が、前記一対の可動部が隙間を残して互いに対向する状態で実現され、一方、前記開位置においては、遊技球が前記入賞装置に入賞することを制限しない非制限状態が実現され、
当該遊技機は、さらに、それら第１および第２の入賞装置のうちの少なくとも一方である対象入賞装置に関連付けて設けられ、その対象入賞装置に対応する前記一対の可動部の閉位置においてそれら一対の可動部間の隙間を完全にまたは部分的に塞ぐ閉塞部を含む（１）ないし（１４）項のいずれかに記載の遊技機。
【００７３】
この遊技機においては、第１および第２の入賞装置が、いずれも、閉位置と開位置とに変位可能な一対の可動部を含んでいる。各入賞装置は、閉位置においては、遊技球が入賞装置に入賞することを制限する制限状態が、一対の可動部が隙間を残して互いに対向する状態で実現され、一方、開位置においては、遊技球が入賞装置に入賞することを制限しない非制限状態が実現されるように構成されている。
【００７４】
すなわち、この遊技機においては、一対の可動部の閉位置が、一対の可動部が隙間を残して互いに対向する状態で入賞装置の入賞制限状態が実現されるように設定されるのである。
【００７５】
そのため、この遊技機においては、それら一対の可動部の閉位置が、それら一対の可動部が隙間を残すことなく互いに対向する状態で入賞装置の入賞制限状態が実現されるように設定される場合とは異なり、それら一対の可動部間の隙間が、第三者による不正行為を可能にする要因となり得る。具体的には、例えば、セル板と通称される不正な道具を、それら一対の可動部間の隙間を経て遊技機内に侵入させることにより、不正行為が行われ得る。
【００７６】
そこで、本項に係る遊技機においては、第１および第２の入賞装置のうちの少なくとも一方である対象入賞装置に関連付けて閉塞部が設けられる。この閉塞部は、その対象入賞装置に属する一対の可動部の閉位置において、それら一対の可動部間の隙間を完全にまたは部分的に塞ぐように構成される。
【００７７】
したがって、この遊技機によれば、それら一対の可動部間の隙間を利用した不正行為を防止することが可能となる。
【００７８】
本項における「閉塞部」を具体的に説明すれば、例えば、それら一対の可動部間の隙間を「筒状を成す空間」として近似的に表現する場合には、その閉塞部の一例は、その筒状の空間の外部から内部に物体が侵入することを邪魔する部材であり、別の例は、その筒状の空間内を物体が入賞装置の中心に向かって移動することを邪魔する部材である。
【００７９】
なお付言するに、本項に記載の技術的特徴は、前記（１）ないし（１４）項のいずれかに記載の技術的特徴から独立して実施することが可能である。
【００８０】
（１６）  遊技者が遊技球を用いて遊技を行うための遊技盤に装着されて使用される遊技盤用入賞装置ユニットであって、
（１）ないし（１５）項のいずれかに記載の第１の入賞装置と、
（１）ないし（１５）項のいずれかに記載の第２の入賞装置と、
（１）ないし（１５）項のいずれかに記載の流れ制御手段と
を含む遊技盤用入賞装置ユニット。
【００８１】
この遊技盤用入賞装置ユニットを遊技機に組み込んで使用すれば、前記（１）ないし（１５）項のいずれかに係る遊技機と同様な作用効果が得られる。
【００８２】
さらに、この遊技盤用入賞装置ユニットによれば、第１および第２の入賞装置と流れ制御手段との相対位置関係を、それらを別部品として遊技盤に組み込む場合より、精度よく管理することが容易である。したがって、この遊技盤用入賞装置ユニットによれば、流れ制御手段の性能が、第１および／または第２の入賞装置との間の相対位置関係に依存する場合であっても、安定的に発揮される。
【００８３】
（１７）  さらに、（９）項に記載の第１の連動機構を含む（１６）項に記載の遊技盤用入賞装置ユニット。
【００８４】
この遊技盤用入賞装置ユニットを遊技機に組み込んで使用すれば、前記（９）項に係る遊技機および前記（１６）項に係る遊技盤用入賞装置ユニットと同様な作用効果が得られる。
【００８５】
（１８）  さらに、（１１）項に記載の振分け装置を含む（１６）または（１７）項に記載の遊技盤用入賞装置ユニット。
【００８６】
この遊技盤用入賞装置ユニットを遊技機に組み込んで使用すれば、前記（１１）項に係る遊技機および前記（１６）または（１７）項に係る遊技盤用入賞装置ユニットと同様な作用効果が得られる。
【００８７】
（１９）  さらに、（１２）項に記載の第２の連動機構を含む（１６）ないし（１８）項のいずれかに記載の遊技盤用入賞装置ユニット。
【００８８】
この遊技盤用入賞装置ユニットを遊技機に組み込んで使用すれば、前記（１２）項に係る遊技機および前記（１６）ないし（１８）項のいずれかに係る遊技盤用入賞装置ユニットと同様な作用効果が得られる。
【００８９】
（２０）  遊技者が遊技を行うための遊技機であって、
遊技者が遊技を行うための遊技盤に、（１６）ないし（１９）項のいずれかに記載の遊技盤用入賞装置ユニットが設けられた遊技機。
【００９０】
この遊技機によれば、前記（１）ないし（１５）項のいずれかに係る遊技機および前記（１６）ないし（１９）項のいずれかに係る遊技盤用入賞装置ユニットと同様な作用効果が得られる。
【発明を実施するための最良の形態】
【００９１】
以下、本発明のさらに具体的な実施の形態のいくつかを図面に基づいて詳細に説明する。
【００９２】
図１には、本発明の第１実施形態に従うパチンコ機が斜視図で示されている。このパチンコ機は、本体枠１０と、ガラス扉１２と、前皿部扉１４と、図示しない発射装置とを備えている。すなわち、本実施形態においては、パチンコ機が前記（１）項における「遊技機」の一例を構成しているのである。このパチンコ機はパチンコホールに設置されて使用される。
【００９３】
本体枠１０には、それの前側において遊技盤２０が作業者により着脱可能に装着される。遊技盤２０は、本体枠１０のうち遊技盤２０に対面する部分に対して平行な姿勢で本体枠１０に装着される。
【００９４】
遊技盤２０は、それの中央に遊技領域２２が設定されている。この遊技領域２２においては、図示しない複数本の釘が、遊技球（「パチンコ球」ともいう。）との衝突によってそれの進路に影響を及ぼすために立設されている。
【００９５】
遊技領域２２の外周においては、概して円弧状を成すレール２４が、発射装置により発射された遊技球を遊技領域２２に誘導するために設けられている。発射装置は、遊技者による操作ハンドル２６の操作に応じた強度（速度）で遊技球を遊技領域２２に向かって発射する。
【００９６】
パチンコ機は、さらに、発射装置により発射された遊技球が遊技盤２０の入賞口に入るのに応じて賞品として遊技球を払い出す図示しない払出し装置を備えている。
【００９７】
図１に示すように、ガラス扉１２と前皿部扉１４とは、本体枠１０の高さ方向において互いに隣接した状態でその本体枠１０の前面を覆うように設計されている。それらガラス扉１２と前皿部扉１４とは、共に、本体枠１０の高さ方向に延びる回動軸線まわりの回動によりその本体枠１０に対して開閉可能とされている。その回動軸線は、本実施形態においては、パチンコ機の一対の側辺のうち向かって左側に位置するものに一致するように設定されている。
【００９８】
ガラス扉１２は、それの閉状態において、本体枠１０に装着された遊技盤２０の遊技領域２２をそれの前側から透視可能に覆うように設計されている。
【００９９】
これに対し、前皿部扉１４は、前述の払出し装置により払い出された遊技球を貯留する貯留機能を発揮する前皿部２８を有するように設計されている。前皿部２８は、前皿部扉１４の前面から前方に張り出させられている。
【０１００】
本実施形態においては、ガラス扉１２と前皿部扉１４とのうちガラス扉１２のみが、それの閉状態において、本体枠１０に装着された遊技盤２０の前面を覆うように設計されている。
【０１０１】
以上、本実施形態に従うパチンコ機の全体の構造を説明したが、以下、遊技盤２０をさらに詳しく説明する。
【０１０２】
図２に示すように、遊技盤２０には、後述の複数個の役物装置，複数本の釘Ｎ（図６参照），複数個の風車Ｗ（図６参照）および１個の入賞装置４６が設置されている。複数個の役物装置は、センタ役物装置５０と、左上非連動役物装置５２および左下非連動役物装置５４と、右上連動役物装置６０および右下連動役物装置６２と、下部連動役物装置６４とを含んでいる。
【０１０３】
遊技盤２０の盤面構成を具体的に説明すれば、遊技盤２０のうちの略中央部には、センタ役物装置５０が設置されている。遊技盤２０のうち、その遊技盤２０に向かって左側の部分には、左上非連動役物装置５２と左下非連動役物装置５４とが上下に並んで配置され、一方、右側の部分には、右上連動役物装置６０と右下連動役物装置６２とが上下に並んで配置されている。
【０１０４】
センタ役物装置５０は特別な入賞装置（以下、「特別入賞装置」といい、他の入賞装置から区別する。）７０を有し、一方、左上非連動役物装置５２，左下非連動役物装置５４，右上連動役物装置６０および右下連動役物装置６２はいずれも、一般的な入賞装置８０，８２，８４，８６を有している。いずれにしても、各入賞装置７０，８０，８２，８４，８６は、遊技球の入賞に応じて開閉する一対の可動片９０，９０を備えたチューリップ式役物を主体として構成されている。
【０１０５】
左上非連動役物装置５２は、入賞装置８０の他に、一対の可動片９０，９０の上方に位置する構造物（「覆い」ともいう。）を備えている。その構造物には、貫通穴５６が形成されており、その貫通穴５６を経て、遊技球が入賞装置８０に入賞する。
【０１０６】
各入賞装置７０，８０，８２，８４，８６における一対の可動片９０，９０は、よく知られているように、遊技盤２０の表面に直角な各回動軸線まわりに一定角度範囲内において回動し、その回動位置は起立位置と傾斜位置とに切り換わる。各可動片９０，９０は、下に凸となる半円状を成す場合や、直線的な羽根状または翼状を成す場合がある。いずれにしても、一対の可動片９０，９０が共に起立位置にある状態が、それら一対の可動片９０，９０の閉状態に該当し、これに対し、それら一対の可動片９０，９０が共に傾斜位置にある状態が、それら一対の可動片９０，９０の開状態に該当する。
【０１０７】
すなわち、それら一対の可動片９０，９０の閉状態が、それら一対の可動片９０，９０を経て遊技球が入賞装置７０，８０，８２，８４，８６に入賞し難い状態（入賞が制限される制限状態）であり、一方、開状態は、それら一対の可動片９０，９０を経て遊技球が入賞装置７０，８０，８２，８４，８６に入賞し易い状態（入賞が制限されない非制限状態）なのである。
【０１０８】
センタ役物装置５０は、自らがトリガとなって右下連動役物装置６２を連動させ、その右下連動役物装置６２は、自らがトリガとなって右上連動役物装置６０を連動させる。すなわち、それらセンタ役物装置５０と右下連動役物装置６２と右上連動役物装置６０とは、それらの順に連鎖的に作動するようになっているのである。
【０１０９】
これに対し、左上非連動役物装置５２と左下非連動役物装置５４とはいずれも、自らがトリガとなることも、別の役物装置によって連動させられることもないように設計されている。それら左上非連動役物装置５２と左下非連動役物装置５４とはいずれも、一対の可動片９０，９０が常には閉じているが、遊技球が入賞装置８０，８２に１個入賞すると、図２に示すように、開き、その状態で別の遊技球が１個入賞すると、閉じるように設計されている。すなわち、それら左上非連動役物装置５２と左下非連動役物装置５４とはいずれも、いわゆる１回開きの構造を採用しているのである。
【０１１０】
図２に示すように、遊技盤２０のうちセンタ役物装置５０より下側の部分には、チャッカとも称される入賞装置４６と、アタッカとも称される下部連動役物装置６４とが上下に並んで配置されている。入賞装置４６は、上述の入賞装置７０，８０，８２，８４，８６とは異なり、一対の可動片９０，９０の如き可動部を有しておらず、遊技球が１個ずつ入賞する入賞口１０２を単に有しているにすぎないが、入賞装置４６は、自らがトリガとなって下部連動役物装置６４を連動させる。その結果、入賞装置４６に遊技球が入賞すると、下部連動役物装置６４のうちの開閉扉１０４が、設定時間が満了するかまたは遊技球の入賞数が設定数に到達するまで開き、遊技球の入賞を許可する。
【０１１１】
以上、遊技盤２０の全体の構成を説明したが、次に、互いに連動するセンタ役物装置５０，右下連動役物装置６２および右上連動役物装置６０を詳しく説明する。
【０１１２】
図３には、センタ役物装置５０が正面図で、図４には、側面断面図でそれぞれ示されている。図３および図４に示すように、センタ役物装置５０においては、投入部１１０と案内部１１２と振分け部１１４と入賞部１１６とがそれらの順に、そのセンタ役物装置５０のうちの上部から下部に向かって並んで配置されている。入賞部１１６は、チューリップ式役物を有する特別入賞装置７０を備えている。
【０１１３】
投入部１１０は、遊技球がセンタ役物装置５０内に投入される２個の球入口１２０，１２０を有する部分である。本実施形態においては、それら球入口１２０，１２０がセンタ役物装置５０の左右にそれぞれ設けられている。
【０１１４】
案内部１１２は、その投入部１１０から投入された遊技球を振分け部１１４に案内する部分である。本実施形態においては、案内部１１２が、概して皿状を成す案内部材１３０を水平な姿勢で備えている。その案内部材１３０は、投入部１１０から投入された遊技球が落下して着地する上面１３２を有している。
【０１１５】
この上面１３２は、図４に断面図で示すように、案内部材１３０と同軸にすり鉢状を成しており、そのため、その上面１３２に着地した遊技球は、その上面１３２の傾斜によってらせん運動させられる。その上面１３２は、それの中心に近づくにつれて高さが低くなるため、遊技球は、らせん運動させられつつ上面１３２の中心に接近する。その上面１３２の中心には貫通穴１３４が形成されている。したがって、遊技球は、最終的には、その貫通穴１３４を通過して、振分け部１１４に移行する。
【０１１６】
図３に示すように、振分け部１１４は、その案内部１１２から落下した遊技球を入賞部１１６のうちの特別入賞口１４０と非特別入賞口１４２とにランダムに振り分ける部分である。
【０１１７】
図３に示すように、振分け部１１４は、遊技球の行き先を特別入賞口１４０と非特別入賞口１４２とに振り分ける振分け装置１５０と、案内部１１２から落下した遊技球をその振分け装置１５０へ導く誘導路１５２とを備えている。
【０１１８】
図４に示すように、誘導路１５２は、案内部材１３０の貫通穴１３４に正対する位置から遊技盤２０の背面に向かって延びるとともに、その向きに進むにつれて下る斜面１５４を有するように延びている。誘導路１５２の下流端１５６には、その誘導路１５２から遊技球が落下して排出される球出口１５８が設けられている。したがって、遊技球は、案内部材１３０の貫通穴１３４から落下して誘導路１５２に着地した後、その誘導路１５２に沿って流下し、やがて球出口１５８から落下して振分け装置１５０に到達することになる。
【０１１９】
図４に示すように、振分け装置１５０は、球出口１５８に正対する位置から遊技盤２０の前面に向かって延びるとともに、その向きに進むにつれて下る斜面１６８を有する案内部材１７０を静止部材として備えている。この案内部材１７０には、薄肉円形状の凹部１７２がそれの上面において開口する姿勢で形成されている。この案内部材１７０には、さらに、図３に示すように、その凹部１７２の外側においてそれの外周に沿って円弧状に延びる外側通路１７４が形成されている。その外側通路１７４は、遊技球を、凹部１７２を経由することなく、入賞部１１６に案内するための通路である。
【０１２０】
この振分け装置１５０は、さらに、振分け回転体１７６を可動部材として備えている。その振分け回転体１７６は、図４に示すように、凹部１７２に同軸的に回転可能にはめ込まれている。
【０１２１】
図３に示すように、その振分け回転体１７６には、それの一直径方向を貫通する溝１７８がそれの上面において開口する姿勢で形成されている。図３に示すように、その溝１７８の底面は水平面に対して傾斜させられている。その溝１７８は、球出口１５８から落下して外側通路１７４に着地した遊技球を、その外側通路１７４をさらに経由することなく、入賞部１１６に案内するための内側通路１８０を形成している。
【０１２２】
振分け回転体１７６は、図示しないモータにより、案内部材１７０に対して、定常的にもしくは間欠的にまたは規則的にまたはランダムに回転させられる。球出口１５８から落下して外側通路１７４の上流位置に着地した遊技球が、溝１７８内の内側通路１８０に進入するか、その内側通路１８０を経由することなく、外側通路１７４をさらに進行するかは、遊技球が着地したときにおける振分け回転体１７６の回転位置に依存してランダムに決まる。
【０１２３】
一方、この振分け装置１５０は、外側通路１７４の上流位置１８２に着地した遊技球が内側通路１８０を経由して入賞部１１６に入賞した場合には、図３に示すように、チューリップ式役物を有する特別入賞装置７０が閉状態にあるか開状態にあるかを問わず、入賞部１１６の特別入賞口１４０に入賞するように設計されている。さらに、この振分け装置１５０は、外側通路１７４の上流位置１８２に着地した遊技球が外側通路１７４を経て入賞部１１６に入賞した場合には、特別入賞装置７０が閉状態にあれば、必ず入賞部１１６の非特別入賞口１４２に入賞し、一方、特別入賞装置７０が開状態にあれば、必ず入賞部１１６の特別入賞口１４０に入賞するか、または閉状態にある場合より高い確率で特別入賞口１４０に入賞するように設計されている。
【０１２４】
外側通路１７４の下流位置１８４であって振分け回転体１７６に近接する位置には一対の案内突起１８６，１８６が、外側通路１７４の表面から上方に突出する姿勢で形成されている。それら一対の案内突起１８６，１８６は、（ａ）外側通路１７４の上流位置１８２に着地した遊技球が内側通路１８０を経て入賞部１１６に入賞する際に、その遊技球が予定外に非特別入賞口１４２に入賞することを防止する機能と、（ｂ）外側通路１７４の上流位置１８２に着地した遊技球が外側通路１７４を経て入賞部１１６に入賞する際に、その遊技球が予定外に特別入賞口１４０に入賞することを防止する機能とを果たす。
【０１２５】
特別入賞装置７０における一対の可動片９０，９０は、図３において二点鎖線で示すように、遊技球がちょうど通過し得る程度の隙間を隔てて互いに対向するために遊技球が入賞し難い閉状態と、同図において実線で示すように、閉状態より大きな隙間を隔てて互いに対向するために遊技球が入賞し易い開状態とに変位させられる。それら一対の可動片９０，９０は、常には、閉状態にあるが、それら一対の可動片９０，９０に遊技球が入賞すると、開状態に移行し、遊技球の入賞が促進される。それら一対の可動片９０，９０が作動する原理は後に詳述する。
【０１２６】
前述のように、入賞部１１６は、入賞口として特別入賞口１４０と非特別入賞口１４２とを有しているが、特別入賞口１４０が、特別入賞装置７０に設けられた入賞口であり、換言すれば、上述の一対の可動片９０，９０間の隙間である。これに対し、非特別入賞口１４２は、図３に示すように、特別入賞装置７０の両側にそれぞれ配置された一対の入賞口である。
【０１２７】
ここで、特別入賞装置７０における一対の可動片９０，９０が作動する原理を図５を参照しつつ詳述する。
【０１２８】
まず、概略的に説明すれば、特別入賞装置７０は、前述のように、チューリップ式の役物装置であり、本実施形態においては、遊技球が１個入賞するごとに、一対の可動片９０，９０が開閉を繰り返す構造を採用している。すなわち、一対の可動片９０，９０は、遊技球が特別入賞装置７０に入賞すれば開き、その開状態において別の遊技球が特別入賞装置７０に入賞すれば、閉じるのである。それら一対の可動片９０，９０内に遊技球が進入すれば、それら一対の可動片９０，９０は、その進入した遊技球から受ける力により、開状態（傾斜状態）から閉状態（起立状態）に変位する。
【０１２９】
図５の（ａ）および（ｂ）にはそれぞれ、特別入賞装置７０が側面断面図で示されている。同図において左側が遊技盤２０の前面側に該当し、右側が遊技盤２０の背面側に該当する。同図の（ａ）には、特別入賞装置７０が一対の可動片９０，９０の閉状態（起立状態）において示され、同図の（ｂ）には、一対の可動片９０，９０の開状態（傾斜状態）において示されている。同図には、それら一対の可動片９０，９０のうち、遊技盤２０に向かって左側に位置するもののみが示されている。
【０１３０】
前述のように、各可動片９０，９０は、遊技盤２０の表面の直角な回動軸線まわりに、図５の（ａ）に示す起立位置と、同図の（ｂ）に示す傾斜位置との範囲内において回動させられる。本実施形態においては、各可動片９０，９０の回動軸線は各可動片９０，９０の重心位置から偏心させられている。その偏心の向きは、各可動片９０，９０に重力のみ作用し、それ以外の外力は作用しない自然状態において各可動片９０，９０が傾斜位置に保持される向きに設定されている。図５の（ｂ）には、一対の可動片９０，９０が自然状態すなわち傾斜状態において示されている。
【０１３１】
各可動片９０，９０は、外力を選択的に受ける係合突起１９０を、各可動片９０，９０と一体的に回動する状態で備えている。その係合突起１９０に外力が作用しない状態が、上述の自然状態である。その係合突起１９０には外力が、各可動片９０，９０の起立状態において作用し得るようになっている。前述のように、それら一対の可動片９０，９０内に遊技球が進入すれば、それら一対の可動片９０，９０は傾斜状態から起立状態に変化するが、その遊技球がそれら一対の可動片９０，９０を通過してしまうと、それら一対の可動片９０，９０は、それらに作用する重力により、傾斜状態に復元しようとする。この復元を阻止するために上述の係合突起１９０が設けられている。
【０１３２】
各可動片９０，９０の起立状態において係合突起１９０に選択的に係合することにより、各可動片９０，９０が傾斜状態に復元することが機械的に阻止される。この機能を実現するために、図５に示すように、特別入賞装置７０は、遊技盤２０の幅方向に平行な回転軸線まわりに間欠的に回転させられる間欠回転体１９２を備えている。その間欠回転体１９２は、それと同軸の球送り歯車１９４と、係合部材１９６とを互いに一体的に回転する状態で備えている。
【０１３３】
球送り歯車１９４は、それの外周面において４個の円弧状の切欠部２００を有している。特別入賞装置７０は、さらに、一対の可動片９０，９０内に進入した遊技球を後続の機構部に誘導する誘導通路２０２を備えている。その誘導通路２０２を遊技球が通過する際に、その遊技球は間欠回転体１９２の４個の切欠部２００のうちのいずれかと係合し、その結果、その間欠回転体１９２が９０度回転させられる。この９０度回転は、一対の可動片９０，９０内に遊技球が進入するごとに行われる。
【０１３４】
これに対し、係合部材１９６は、球送り歯車１９４と一体的に間欠回転させられる。係合部材１９６は、概して円板状を成しているが、位相が１８０度異なる２個の切欠部２１０，２１０と、位相が１８０度異なる２個の係合部２１２，２１２とを有している。
【０１３５】
この係合部材１９６は、前述の係合突起１９０に近接する位置に配置されている。この係合部材１９６は、球送り歯車１９４と一体的に間欠回転させられ、その結果、係合部２１２において係合突起１９０に係合可能な位置と、切欠部２１０において係合突起１９０が通過することを可能にする位置とに回転させられる。
【０１３６】
具体的には、図５の（ａ）に示す起立状態においては、係合部材１９６が、それの係合部２１２において係合突起１９０に係合し、それにより、一対の可動片９０，９０が重力に抗して起立状態に保持される。
【０１３７】
この状態において遊技球が一対の可動片９０，９０内に進入して誘導通路２０２を流下すれば、その途中において遊技球が球送り歯車１９４を介して係合部材１９６を９０度反時計方向に回転させる。その結果、係合部２１２と係合突起１９０との係合が解除されて、係合部材１９６は、それの切欠部２１２において係合突起１９０に対向する。それにより、一対の可動片９０，９０が重力によって、図５の（ｂ）に示す傾斜状態に回動することが許容される。
【０１３８】
この状態において別の遊技球が一対の可動片９０，９０内に進入してそこから退出しようとすると、その遊技球によって一対の可動片９０，９０が起立させられる。その後、その遊技球が一対の可動片９０，９０から退出して誘導通路２０２内に進入して流下すれば、その途中において遊技球が球送り歯車１９４を介して係合部材１９６を９０度反時計方向に回転させる。その結果、一対の可動片９０，９０の起立状態において、係合突起１９０に係合部２１２が係合させられ、それにより、一対の可動片９０，９０が重力によって傾斜することが阻止される。
【０１３９】
間欠回転体１９２は、図示しないばねによって半径方向内向きに付勢されており、それにより、球送り歯車１９４を遊技球が１個通過する際に、間欠回転体１９２が９０度を超えて回転することが防止されている。
【０１４０】
以上要するに、この特別入賞装置７０においては、遊技球が１個入賞するごとに間欠回転体１９２が９０度回転し、それにより、一対の可動片９０，９０が開状態と閉状態とに交互に切り換わるようになっており、この特別入賞装置７０は、いわゆる１回開きの構造を採用しているのである。
【０１４１】
図３および図４に示すように、特別入賞装置７０は、さらに、一対の可動片９０，９０を遊技盤２０の前面側から覆う前面カバー２２０を備えている。ところで、一対の可動片９０，９０は、図３において二点鎖線で示す閉状態において、垂直方向に延びる隙間を隔てて互いに対向している。その隙間は、振分け部１１４から落下した遊技球が特別入賞装置７０内に進入するのに必要な幅寸法を有している。そのため、一対の可動片９０，９０が閉状態にあっても、それら一対の可動片９０，９０間の隙間を経て不正な道具を遊技盤２０内に侵入させる不正行為が行われてしまう可能性がある。
【０１４２】
そこで、本実施形態においては、前面カバー２２０の形状が、閉状態にある一対の可動片９０，９０間に存在する隙間を遊技盤２０の前面側から閉塞するように設計されている。具体的には、前面カバー２２０が、それの中央部から上方に突出する突出部２２２を、一対の可動片９０，９０間の隙間を閉塞する部分として備えている。この突出部２２２により、上述の不正行為が防止される。
【０１４３】
なお付言するに、振分け装置１５０の前面側全体に、透明部材によるカバーを設けてもよい。また、特別入賞装置７０は、チューリップ式の役物装置としてではなく、チャッカ式の入賞装置として構成してもよい。
【０１４４】
以上、センタ役物装置５０を説明したが、次に、右下連動役物装置６２および右上連動役物装置６０を説明する。
【０１４５】
図６に示すように、右下連動役物装置６２と右上連動役物装置６０とは、前述のように、遊技盤２０の右側において上下に並んで配置されている。それら右下連動役物装置６２と右上連動役物装置６０とはいずれも、同図に実線で示す開状態（傾斜状態）と、二点鎖線で示す閉状態（起立状態）とに変位させられる一対の可動片９０，９０を備えている。
【０１４６】
図６において下側に示されている右下連動役物装置６２は、本実施形態においては、一対の可動片９０，９０が閉状態から開状態に切り換わると、その後に遊技球が３個続けて入賞するまで開き続けるいわゆる３回開きの構造を採用している。これに対し、遊技盤２０において上側に配置されている右上連動役物装置６０は、いわゆる５回開きの構造を採用している。
【０１４７】
すなわち、本実施形態においては、右下連動役物装置６２内の入賞装置８６が前記（１）項における「第１の入賞装置」の一例を構成し、右上連動役物装置６０内の入賞装置８４が同項における「第２の入賞装置」の一例を構成し、「第２の入賞装置」の閉状態において「第１の入賞装置」に遊技球が１個入賞してから「第２の入賞装置」に連続的に遊技球が入賞し得る個数に関し、右下連動役物装置６２内の入賞装置８６より、右上連動役物装置６０内の入賞装置８４の方が多くなるように設定されているのである。
【０１４８】
ここで、それら右下連動役物装置６２および右上連動役物装置６０を説明するが、それら右下連動役物装置６２および右上連動役物装置６０のいずれについても、一対の可動片９０，９０が開閉するための機構は、前述のセンタ役物装置５０における特別入賞装置７０と基本的に共通する。したがって、特別入賞装置７０と共通する要素については簡単に説明し、異なる要素についてのみ詳細に説明する。ただし、それら右下連動役物装置６２と右上連動役物装置６０とは、遊技球が連続的に入賞し得る個数が互いに異なるのみで、他の要素については共通するため、右下連動役物装置６２のみを代表的に説明する。
【０１４９】
図７に示すように、右下連動役物装置６２は、特別入賞装置７０と同様に、遊技盤２０の表面に直角な各回動軸線まわりに起立位置と傾斜位置との範囲内において回動する一対の可動片９０，９０を備えている。各可動片９０，９０には、それと一体的に回動する係合突起２３０が形成されている。右下連動役物装置６２は、さらに、特別入賞装置７０と同様に、水平な回転軸線まわりに間欠回転させられる間欠回転体２３２を備えている。この間欠回転体２３２は、それと同軸の球送り歯車２３４と、係合部材２３６とを互いに一体的に回転する状態で有している。
【０１５０】
球送り歯車２３４には、特別入賞装置７０と同様に、その球送り歯車２３４の外周面において複数個の切欠部２４０が並んでいる。遊技球は、球送り歯車２３４を通過するごとに、それら複数個の切欠部２４０のうちのいずれかと係合し、球送り歯車２３４を所定角度回転させる。したがって、球送り歯車２３４の、基準位置からの回転角度は、一対の可動片９０，９０内に入賞した遊技球の数を反映する。すなわち、球送り歯車２３４は、一対の可動片９０，９０内に入賞した遊技球の数を機械的にカウントするセンサなのである。
【０１５１】
本実施形態においては、一対の可動片９０，９０が３回開きの形式であることから、切欠部２４０の数が４個とされている。一対の可動片９０，９０が閉状態から開状態に移行するためには、まず、それら一対の可動片９０，９０を起立位置から傾斜位置に変位させるための間欠回転体２３２の所定角度での回転（一対の可動片９０，９０内に遊技球が１個入賞するかまたはそれと等価な動きを原因とする回転）が必要である。この回転によって一対の可動片９０，９０が最初に開いてから３個の遊技球が入賞するまで、一対の可動片９０，９０が開状態に維持される。それら３個の遊技球がすべて入賞すると、その時点で球送り歯車２３４がちょうど１回転する。その結果、一対の可動片９０，９０が起立位置（閉位置）に復元されて保持される。
【０１５２】
右下連動役物装置６２は、さらに、特別入賞装置７０と同様に、一対の可動片９０，９０内に進入した遊技球を、球送り歯車２３４に係合してそれを間欠回転させた後に、後続の機構部に誘導する誘導通路２４２と、間欠回転体２３２の回転を安定化させるためのばねとしての板ばね２４４とを備えている。
【０１５３】
以上、右下連動役物装置６２のうち特別入賞装置７０と共通する部分を説明したが、この右下連動役物装置６２は、その特別入賞装置７０とは異なり、その特別入賞装置７０に入賞した遊技球の落下を利用してその特別入賞装置７０との機械的連動を実現するための機構を追加的に備えている。
【０１５４】
具体的に説明すれば、右下連動役物装置６２は、図７に示すように、間欠回転体２３２に係合可能な位置に開閉レバー２５０を備えている。この開閉レバー２５０は、間欠回転体２３２の回転軸線に平行な揺動軸線まわりに揺動させられる。この開閉レバー２５０は、図７において実線で示す退避位置と、同図において二点鎖線で示す係合位置とに変位させられる。この開閉レバー２５０は、送り爪２５２を備えており、退避位置においては、その送り爪２５２が、間欠回転体２３２と一体的に回転させられる係合部２５４から退避させられる。これに対し、係合位置においては、同図において二点鎖線で示すように、送り爪２５２が係合部２５４に係合し、それにより、係合部材２３６を一定角度、反時計方向に回転させる。その結果、係合部材２３６が、一対の可動片９０，９０が重力によって起立位置から傾斜位置に復元することを阻止するために係合突起２３０に係合している状態から、その係合突起２３０から離脱する状態に移行させられる。それにより、一対の可動片９０，９０が重力により、起立位置すなわち閉位置から傾斜位置すなわち開位置に変位させられる。
【０１５５】
開閉レバー２５０は、それに重力しか作用しない自然状態においては、図７において実線で示す退避位置に位置するように、その重量バランスが設計されている。このように設計された開閉レバー２５０を確実に退避位置において保持するために、この右下連動役物装置６２はロック部材２６０を備えている。
【０１５６】
このロック部材２６０は、開閉レバー２５０の回動軸線と平行な軸線まわりに揺動させられる。このロック部材２６０は、それに重力しか作用しない自然状態においては、図７において実線で示すロック位置にある。このロック位置においては、ロック部材２６０の係合面Ａが開閉レバー２５０の係合面Ｂと係合することにより、開閉レバー２５０が予定外に、図７において実線で示す退避位置から二点鎖線で示す係合位置に回動することが阻止される。
【０１５７】
図７に示すように、ロック部材２６０は、球受け面２６６を有している。特別入賞装置７０に入賞した遊技球が、その球受け面２６６に衝突し、それにより、ロック部材２６０が、図７において実線で示すロック位置から時計方向に揺動し、ロック部材２６０の係合面Ａが開閉レバー２５０の係合面Ｂから離脱する。ロック部材２６０の球受け面２６６と衝突した遊技球は、その後、開閉レバー２５０の球受け面２７０と衝突し、開閉レバー２５０を退避位置から係合位置に回動させる。
【０１５８】
この右下連動役物装置６２における入賞装置８６は、さらに、遊技盤２０の背面側において背面側通路２８４を、前述の誘導通路２４２とは別の遊技球通路として備えている。この背面側通路２８４は、ロック部材２６０の上方から落下してロック部材２６０の球受け面２６６に衝突した遊技球を、開閉レバー２５０の球受け面２７０に誘導し、その後、この入賞装置８６から排出させるために設けられている。
【０１５９】
図６に示すように、右下連動役物装置６２における入賞装置８６は、センタ役物装置５０における特別入賞装置７０と同様に、前面カバー２９０を備えている。この前面カバー２９０も、その特別入賞装置７０における前面カバー２２０と同様に、閉状態にある一対の可動片９０，９０間の隙間を遊技盤２０の前面側からできる限り閉塞するように設計されている。右下連動役物装置６２における入賞装置８６も、不正行為防止対策が講じられているのである。同図に示すように、右上連動役物装置６０における入賞装置８４も、同様に、不正行為防止対策が講じられた前面カバー２９２を備えている。
【０１６０】
図６に示すように、右下連動役物装置６２は、入賞装置８６の他に、その入賞装置８６より上側に位置する構造物３００を備えている。その構造物３００は、遊技盤２０に静止部材として取り付けられている。この構造物３００の外周側面は、この構造物３００のうちの上部において凸状に湾曲した上側面３０２と、右部において凹状に湾曲した右側面３０４と、左部において凹状に湾曲した左側面３０６と、下部に位置する下側面３０８とを含むように構成されている。
【０１６１】
右側面３０４および左側面３０６は、右下連動役物装置６２の外部から入賞装置８６内に遊技球が進入する際にその遊技球が衝突する可能性がある面であり、それら右側面３０４および左側面３０６の角度如何により、入賞装置８６への遊技球の入賞し易さが左右される。
【０１６２】
下側面３０８は、閉状態にある一対の可動片９０，９０間の隙間の入口（上端）から下方に突出する突出部３１０を備えている。この右下連動役物装置６２においては、その突出部３１０が、前述の前面カバー２９０と共同して前述の不正行為を防止するために設けられている。
【０１６３】
この突出部３１０が存在するため、一対の可動片９０，９０の閉状態（図６において二点鎖線で示す。）においては、遊技球が入賞装置８６に入賞せず、開状態（図６において実線で示す。）のみにおいて、遊技球が入賞装置８６に入賞する。したがって、この右下連動役物装置６２において一対の可動片９０，９０を開かせるためには、センタ役物装置５０において遊技球が特別入賞口１４０に入賞し、その入賞した遊技球がこの右下連動役物装置６２のロック部材２６０および開閉レバー２５０に作用を及ぼして間欠回転体１９２を回転させることが必要である。
【０１６４】
図６に示すように、右上連動役物装置６０は、入賞装置８４の他に、その入賞装置８４より上側に位置する上側構造物３２０と、右側に位置する右側構造物３２２と、左側に位置する左側構造物３２４とを備えている。それら上側構造物３２０，右側構造物３２２および左側構造物３２４はいずれも、遊技盤２０に静止部材として取り付けられている。
【０１６５】
上側構造物３２０の外周側面は、右下連動役物装置６２における構造物３００と同様に、凸状に湾曲した上側面３３０と、凹状に湾曲した右側面３３２と、凹状に湾曲した左側面３３４と、下側面３３６とを含むように構成されている。
【０１６６】
右側面３３２および左側面３３４は、右上連動役物装置６０の外部から入賞装置８４内に遊技球が進入する際にその遊技球が衝突する可能性がある面であり、それら右側面３３２および左側面３３４の角度如何により、入賞装置８４への遊技球の入賞し易さが左右される。
【０１６７】
下側面３３６は、右下連動役物装置６２と同様に、閉状態にある一対の可動片９０，９０間の隙間の入口（上端）から下方に突出する突出部３３８を備えている。この右上連動役物装置６０においても、その突出部３３８が、前述の前面カバー２９２と共同して前述の不正行為を防止するために設けられている。したがって、この右上連動役物装置６０において一対の可動片９０，９０を開かせるためには、後述のリンク機構と、この右上連動役物装置６０のロック部材２６０および開閉レバー２５０とを利用して間欠回転体２３２を回転させることが必要である。
【０１６８】
右側構造物３２２の外周側面は、この右側構造物３２２のうちの上部に位置する上側面３５０と、入賞装置８４の右側面に対向する対向側面３５２とを含むように構成されている。同様に、左側構造物３２４の外周側面は、この左側構造物３２４のうちの上部に位置する上側面３６０と、入賞装置８４の左側面に対向する対向側面３６２とを含むように構成されている。
【０１６９】
右側構造物３２２および左側構造物３２４のいずれについても、上側面３５０，３６０は、右上連動役物装置６０の外部から入賞装置８４内に遊技球が進入する際にその遊技球が衝突する可能性がある面であり、各上側面３５０，３６０の角度如何により、その入賞装置８４への遊技球の入賞し易さが左右される。
【０１７０】
さらに、右側構造物３２２の上側面３５０は、上側構造物３２０の右側面３３２と共同することにより、右上連動役物装置６０の外部から内部に遊技球が投入される右側投入通路３７０を形成する。その右側投入通路３７０の幅寸法如何により、入賞装置８４への遊技球の入賞し易さが左右される。さらに、左側構造物３２４の上側面３６０は、上側構造物３２０の左側面３３４と共同することにより、右上連動役物装置６０の外部から内部に遊技球が投入される左側投入通路３７２を形成する。その左側投入通路３７２の幅寸法如何により、入賞装置８４への遊技球の入賞し易さが左右される。
【０１７１】
右側構造物３２２および左側構造物３２４のいずれについても、対向側面３５２，３６２は、それと対向する入賞装置８４の側面と共同することにより、各投入通路３７０，３７２内に進入した遊技球が、この右上連動役物装置６０を通過するように落下して右下連動役物装置６２に向かうための排出通路３９０，３９２を形成する。右側構造物３２２の対向側面３５２と入賞装置８４の側面との間に形成される排出通路が右側排出通路３９０であり、左側構造物３２４の対向側面３６２と入賞装置８４の側面との間に形成される排出通路が左側排出通路３９２である。
【０１７２】
それら右側および左側排出通路３９０，３９２の各幅寸法は、右上連動役物装置６０における入賞装置８４の開状態において最小となり、閉状態において最大となる。その最小寸法の如何により、右上連動役物装置６０における入賞装置８４への遊技球の入賞し易さ（投入通路３７０，３７２から排出通路３９０，３９２への遊技球の移行し難さ）と、排出通路３９０，３９２を通過して右下連動役物装置６２の入賞装置８４に遊技球が入賞する容易さとが左右される。
【０１７３】
図２に示すように、以上説明したセンタ役物装置５０，右下連動役物装置６２および右上連動役物装置６０は、遊技盤用入賞装置ユニット４００として、予め一体的に構成されている。この遊技盤用入賞装置ユニット４００が遊技盤２０に予め形成された取付穴に嵌め込まれて取り付けられることにより、遊技盤２０が完成する。同図において「ＰＬ」は、遊技盤２０が、遊技盤用入賞装置ユニット４００とそれ以外の部分とに分割される分割線を示している。この分割線ＰＬは、遊技盤用入賞装置ユニット４００の外形線でもあり、遊技盤２０に予め形成された取付穴の輪郭線でもある。なお、この分割線ＰＬの表示は、図６においては省略されている。
【０１７４】
本実施形態においては、その遊技盤用入賞装置ユニット４００は、センタ役物装置５０，右下連動役物装置６２および右上連動役物装置６０のそれぞれの周辺に配置される複数本の釘Ｎも有している。その結果、それらセンタ役物装置５０，右下連動役物装置６２および右上連動役物装置６０間の相対位置関係のみならず、各役物装置５０，６２，６０と釘Ｎとの相対位置関係も、それらが互いに独立して遊技盤２０に装着される場合より、正確に管理することが容易となっている。
【０１７５】
以上、センタ役物装置５０，右下連動役物装置６２および右上連動役物装置６０を説明したが、次に、センタ役物装置５０と右下連動役物装置６２と右上連動役物装置６０とを互いに連動させるための機構を説明する。
【０１７６】
図８には、遊技盤２０の背面における構成がそれらセンタ役物装置５０と右下連動役物装置６２と右上連動役物装置６０とに関して示されている。
【０１７７】
図８に示すように、センタ役物装置５０については、特別入賞口１４０に入賞した遊技球を右下連動役物装置６２における球受け面２６６，２７０に斜面を利用して誘導する連動通路４１０が設けられている。この連動通路４１０を経て球受け面２６６，２７０まで誘導されてそれら球受け面２６６，２７０に遊技球が衝突すると、右下連動役物装置６２における一対の可動片９０，９０が起立位置から傾斜位置に変位させられる。
【０１７８】
センタ役物装置５０については、さらに、そのセンタ役物装置５０における一対の非特別入賞口１４２に入賞した遊技球を流下させるための第１流下通路４１２が設けられている。
【０１７９】
これに対し、右下連動役物装置６２については、ロック部材２６０および開閉レバー２５０に衝突して背面側通路２８４から排出された遊技球を流下させるための第２回流下路４１４が設けられている。この右下連動役物装置６２については、さらに、一対の可動片９０，９０から進入して誘導通路２４２から排出された遊技球を流下させるための第３流下通路４１６が設けられている。
【０１８０】
また、右上連動役物装置６０については、それの誘導通路２４２から排出された遊技球を流下させるための第４流下通路４１８が設けられている。
【０１８１】
以上の説明から明らかなように、センタ役物装置５０への遊技球の入賞をトリガとして、右下連動役物装置６２における一対の可動片９０，９０の起立位置から傾斜位置への変位が機械的に連動させられる。すなわち、それらセンタ役物装置５０と右下連動役物装置６２とは、同じ遊技球の落下を利用して互いに連動させられているのである。ここに、「遊技球の落下」という用語は、重力を利用した遊技球の運動を包括的に含み、よって、下り斜面に沿って転動しつつ下降する流下という運動も含む。
【０１８２】
これに対し、右下連動役物装置６２と右上連動役物装置６０とは、図８に示すように、リンク機能４３０によって互いに連動させられるようになっている。そのリンク機構４３０は、平行運動機構に分類され、具体的には、（ａ）遊技盤２０の表面に直角な第１揺動軸線まわりに揺動させられる入力レバー４３２と、（ｂ）その入力レバー４３２の揺動平面と平行な平面内において、第１揺動軸線に平行な第２揺動軸線まわりに揺動させられる出力レバー４３４とを備えている。
【０１８３】
図８には、入力レバー４３２が、それの先端部４４０が上端位置にある待機状態で示されており、これに対し、図９には、入力レバー４３２の先端部４４０が下端位置にある作用状態で示されている。この入力レバー４３２は、概して水平方向に延びている。この入力レバー４３２は、右下連動役物装置６２における誘導通路２４２内を流下する遊技球がその入力レバー４３２の先端部４４０に衝突すると、その遊技球がその入力レバー４３２を押し下げる（反時計方向に回動させる）ように配置されている。
【０１８４】
図８には、出力レバー４３４が、それの先端部４４２が上端位置にある待機状態で示されており、これに対し、図９には、出力レバー４３４の先端部４４２が下端位置にある作用状態で示されている。この出力レバー４３４も、入力レバー４３２と同様に、概して水平方向に延びている。その結果、それら入力レバー４３２と出力レバー４３４とは、概して互いに平行に延びることになる。
【０１８５】
この出力レバー４３４は、その出力レバー４３４が押し下げられる（反時計方向に回動させられる）と、その出力レバー４３４の先端部４４２が右上連動役物装置６０における開閉レバー２５０と一体的に揺動する係合部４５０に当接するように配置されている。この出力レバー４３４がさらに押し下げられると、この出力レバー４３４が開閉レバー２５０を押し下げる。この右上連動役物装置６０において開閉レバー２５０を押し下げることは、右下連動役物装置６２において球受け面２６６，２７０に遊技球を衝突させることと等価である。
【０１８６】
図８に示すように、リンク機構４３０においては、入力レバー４３２と出力レバー４３４とがリンクロッド４６０によって互いに連結されている。リンクロッド４６０は、それら入力レバー４３２および出力レバー４３４に概して直角に延びており、結局、概して垂直方向に延びている。このリンクロッド４６０は入力レバー４３２の押下げ運動を出力レバー４３４の押下げ運動に変換する。具体的には、遊技球が右下連動役物装置６２に入賞して誘導通路２４２から排出されると、その遊技球は、入力レバー４３２の先端部４４０に衝突する。この衝突により、その入力レバー４３２が押し下げられれば、リンクロッド４６０が上昇し、それにより、出力レバー４３４が押し下げられる。
【０１８７】
入力レバー４３２および出力レバー４３４を常には、図８に示す待機状態にあるようにするため、リンク機構４３０がウエイト４６６を有するものとされる。そのウエイト４６６は、例えば、それの自重をリンク機構４３０に、リンクロッド４６０を下降させる向きに作用させるものとされる。
【０１８８】
このパチンコ機においては、いずれの入賞装置６４，７０，８０，８２，８４，８６も、一連の遊技の開始当初にあっては、一対の可動片９０，９０が閉状態にある。一連の遊技中、右下連動役物装置６２の入賞装置８６における一対の可動片９０，９０を閉状態から開状態に切り換えるためには、右下連動役物装置６２における背面側通路２８４内に遊技球を投入して開閉レバー２５０を退避位置から係合位置に回動させなければならない。その回動のためには、センタ役物装置５０に投入された遊技球が特別入賞口１４０に入賞し、その遊技球が連動通路４１０を経て右下連動役物装置６２における背面側通路２８４内に進入しなければならない。
【０１８９】
右下連動役物装置６２の入賞装置８６が開状態に切り換えられれば、その入賞装置８６に遊技球が入賞することが可能となる。その入賞装置８６に遊技球が実際に入賞すれば、その入賞した遊技球は、誘導通路２４２内に進入して間欠回転体２３２を所定角度回転させ、やがてその誘導通路２４２から排出される。その排出された遊技球は、入力レバー４３２を押し下げ、さらに、それに連動して出力レバー４３４が右上連動役物装置６０の係合部４５０を介して開閉レバー２５０を押し下げる。その結果、右上連動役物装置６０の入賞装置８４が閉状態から開状態に切り換わる。
【０１９０】
右上連動役物装置６０の入賞装置８４が開状態に切り換わった直後においては、右下連動役物装置６２の入賞装置８６も開状態にある。そのため、理論的には、発射装置から発射されて遊技盤２０内に投入された遊技球は、右上連動役物装置６０に入賞する可能性も右下連動役物装置６２に入賞する可能性もある。
【０１９１】
本実施形態においては、右下連動役物装置６２の入賞装置８６が３回開きの形式とされ、また、右上連動役物装置６０の入賞装置８４が５回開きの形式とされている。さらに、右下連動役物装置６２は、それの入賞装置８６に遊技球が１個入賞するごとに、自らがトリガとなって、右上連動役物装置６０を、５個の遊技球が入賞するまで、開かせる。すなわち、右下連動役物装置６２に遊技球が１個入賞するごとに１回のラウンドが開始され、各回のラウンドにおいては、右上連動役物装置６０に最大５個の遊技球が連続的に入賞することが可能とされるのである。
【０１９２】
しかしながら、１回のラウンドが終了しないうちに、すなわち、右上連動役物装置６０に連続的に入賞した遊技球の数である入賞数が５個に到達しないうちに、右下連動役物装置６２に遊技球が入賞してしまう可能性がある。１回のラウンドが終了しないうちに右下連動役物装置６２に遊技球が入賞すると、今回のラウンドが途中で終了させられてしまううえに、右上連動役物装置６０の入賞装置８４の開閉レバー２５０が、その入賞装置８４が開状態にあるにもかかわらず、リンク機構４３０によって回動させられてしまう。
【０１９３】
このような開閉レバー２５０の回動は、開状態にある入賞装置８４にとってはまったく無意味な動作であり、そのため、右上連動役物装置６０は、前回のラウンド中にその右上連動役物装置６０に入賞した遊技球の数をそのまま有効にして、すなわち、クリアすることなく、次回のラウンドに移行する。すなわち、前回のラウンドの終了前に右下連動役物装置６２に遊技球が入賞してしまうと、このパチンコ機は、次回のラウンドに移行し、かつ、その次回のラウンドは、前回のラウンド中に右上連動役物装置６０に入賞した遊技球の数と同数、既に次回のラウンドにおいて右上連動役物装置６０に入賞したものとみなされたうえで開始される。
【０１９４】
そのため、前回のラウンドが途中で終了させられると、遊技者は、右下連動役物装置６２に遊技球が５個連続して入賞するという利益を享受できないことになる。
【０１９５】
１回のラウンドの終了前に右下連動役物装置６２に遊技球が入賞してしまう可能性の存在にもかかわらず、１回のラウンドが終了しないうちには右下連動役物装置６２に遊技球が入賞しないようにするため、遊技者は、図６において矢印Ｘで示すように、遊技球が遊技盤２０内に投入された後に最初に特定の狙い位置４７０に衝突するように、発射装置を操作する。本実施形態においては、その狙い位置４７０が、右上連動役物装置６０より上方にある縦壁部４７２に設定されている。
【０１９６】
図６に示すように、その狙い位置４７０の略真下に右上連動役物装置６０が配置され、かつ、その右上連動役物装置６０が右下連動役物装置６２の略真上に配置されているため、上述のようにして遊技者が遊技球の狙いを設定すれば、１回のラウンドの終了前に右下連動役物装置６２に遊技球が入賞してしまう可能性が低減する。
【０１９７】
本実施形態においては、その可能性をさらに低減させるために、遊技盤２０の前面の構成（以下、単に「盤面構成」という。）、具体的には、右上連動役物装置６０の構成と、遊技盤２０上の複数本の釘Ｎのうち、右上連動役物装置６０および右下連動役物装置６２の近傍に位置するものの配置（釘間間隔を含む。）とが、それら右上連動役物装置６０と右下連動役物装置６２との双方において入賞装置８４，８６が開いている状態において、遊技球が右下連動役物装置６２より右上連動役物装置６０に優先的に入賞するように、最適化されている。以下、このように最適化された盤面構成を詳しく説明する。
【０１９８】
遊技盤２０上において遊技球は、上述の狙い位置４７０に衝突した後、複数本の経路のうちのいずれかに沿って、いずれかの入賞装置８４，８６に入賞するか、ないしは、いずれの入賞装置８４，８６にも入賞せずに、遊技盤２０のうちの下部に設置されたアウト口４８０（図２参照）を経てその遊技盤２０から排出される。
【０１９９】
遊技球は、上述の狙い位置４７０に衝突した後、右上連動役物装置６０の右側を通過する可能性と、左側を通過する可能性とがある。右上連動役物装置６０の右側を通過しようとする場合には、遊技球は、３本の釘Ｎ１，Ｎ２，Ｎ３のうちの少なくとも一つと衝突する可能性がある。
【０２００】
右上連動役物装置６０に最も近い釘Ｎ１と、３本の釘Ｎ１ないしＮ３のうちの中間に位置する釘Ｎ２と間の間隔Ｎ１−Ｎ２は、右上連動役物装置６０の右側投入通路３７０内への進入を許容する間隔に設定されている。しかし、釘Ｎ２と、右上連動役物装置６０から最も離れた釘Ｎ３との間隔Ｎ２−Ｎ３は、遊技球が右上連動役物装置６０内に進入することなくそれを通過することを許容する間隔に設定されている。したがって、３本の釘Ｎ１，Ｎ２，Ｎ３に衝突した遊技球が右上連動役物装置６０に入賞する確率は、間隔Ｎ１−Ｎ２と間隔Ｎ２−Ｎ３との大小関係に依存し、その関係は適宜調整される。
【０２０１】
図６に示すように、２本の釘Ｎ１，Ｎ２間の隙間を経て右上連動役物装置６０の右側投入通路３７０内に進入した遊技球は、上側構造物３２０の右側面３３２に衝突したり、右側構造物３２２の上側面３５０に衝突する可能性がある。それら右側面３３２および上側面３５０の角度（例えば、各側面３３２，３５０の法線方向と基準方向との成す角度）は、右側投入通路３７０内に進入した遊技球が実質的に略１００％の確率で入賞装置８４に入賞するように設定されている。一対の可動片９０，９０の開状態において右側排出通路３９０の幅寸法は遊技球の直径よりわずかに大きいため、その右側排出通路３９０内に遊技球が進入する可能性がある。しかし、上述の、右側面３３２および上側面３５０の角度設定および右側排出通路３９０の幅寸法設定により、右側投入通路３７０内に進入した遊技球は実質的に略１００％の確率で入賞装置８４に入賞する。
【０２０２】
したがって、本実施形態においては、右側面３３２および上側面３５０の角度設定および右側排出通路３９０の幅寸法設定が最適化されるため、第２の入賞装置としての入賞装置８４を有する右上連動役物装置６０が、第１の入賞装置としての入賞装置８６を有する右下連動役物装置６２の真上に位置し、かつ、右下連動役物装置６２より狙い位置４７０に接近していることと相俟って、その狙い位置４７０に衝突した遊技球が右下連動役物装置６２より右上連動役物装置６０に優先的に入賞する。
【０２０３】
このようにして右上連動役物装置６０の入賞装置８４に遊技球が入賞すると、その遊技球がその入賞装置８４において一対の可動片９０，９０を通過して球送り歯車２３４を一定角度回転させる。今回注目している遊技球（以下、単に「今回の遊技球」という。）はその後、誘導通路２４２を経て入賞装置８４から排出される。
【０２０４】
この入賞装置８４が閉状態から開状態に直前に切り換わった時期から今回の遊技球がこの入賞装置８４に入賞した時期までの期間内にこの入賞装置８４に連続的に入賞した遊技球の数（第２の入賞数）が設定数（今回の例においては、５個）より少ない場合には、一対の可動片９０，９０は、今回の遊技球の自重によって開状態（傾斜状態）から閉状態（起立状態）に一時的に移行するが、係合部材２３６が係合突起２３０に係合しない。そのため、今回の遊技球が一対の可動片９０，９０を通過すると、それら一対の可動片９０，９０はそれらの自重により、直ちに開状態に移行する。これに対し、第２の入賞数が設定数に到達すると、球送り歯車２３４の回転によって係合部材２３６が係合突起２３０に係合し、これにより、一対の可動片９０，９０が閉状態に継続的に復元される。
【０２０５】
以上、遊技球が２本の釘Ｎ１，Ｎ２間の隙間を経て右上連動役物装置６０内に進入した場合を説明したが、右上連動役物装置６０内に進入することなく２本の釘Ｎ２，Ｎ３間の隙間を通過した遊技球は、案内レールの飾り部材４８２に沿って落下する。右上連動役物装置６０の右側を通過する直前または直後に、遊技球は、概して縦方向に一列に並んだ釘列ＮＬと衝突する。その釘列ＮＬは、遊技球が右下連動役物装置６２に接近する方向に進行することを防止するために設けられている。したがって、右上連動役物装置６０の右側を通過した遊技球は、実質的に略１００％の確率で、右下連動役物装置６２に入賞することなく、そこを通過し、やがてアウト口４８０から排出される。
【０２０６】
以上、狙い位置４７０に衝突した遊技球が右上連動役物装置６０の右側に向かう場合を説明したが、左側に向かう場合もある。
【０２０７】
遊技球が、上側構造物３２０の左側面３３４と左側構造物３２４の上側面３６０との間に位置する左側投入通路３７２内に進入するためには、２本の釘Ｎ４，Ｎ５間の隙間を通過しなければならない。それら釘Ｎ４，Ｎ５間の間隔Ｎ４−Ｎ５は、それら釘Ｎ４，Ｎ５間の隙間を遊技球が通過することを許容する間隔に設定されている。左側投入通路３７２内に進入した遊技球は、２本の釘Ｎ１，Ｎ２間の隙間を経て右側投入通路３７０内に進入した場合と同様に、実質的に略１００％の確率で、開状態にある入賞装置８４に入賞する。
【０２０８】
以上、右上連動役物装置６０の入賞装置８４が開状態にある場合を説明したが、閉状態にある場合には、右上連動役物装置６０において右側排出通路３９０の幅寸法も左側排出通路３９２の幅寸法も、入賞装置８４が開状態にある場合より、増加する。したがって、閉状態においては、各投入通路３７０，３７２内に進入した遊技球はスムーズに各排出通路３９０，３９２を通過して右上連動役物装置６０から退出する。
【０２０９】
右側排出通路３９０から排出された遊技球は、その右側排出通路３９０の出口近傍に位置する釘Ｎ１１との衝突後、右下連動役物装置６２に接近する向きに進行する場合と、遠ざかる向きに進行する場合とがある。
【０２１０】
前者の場合には、遊技球は、右下連動役物装置６２の右側入口４８４の近傍に位置する３本の釘Ｎ７，Ｎ８，Ｎ９と衝突する可能性がある。釘Ｎ７とＮ８との間の間隔Ｎ７−Ｎ８は、遊技球の通過を許容する間隔に設定されている。しかし、釘Ｎ８とＮ９との間の間隔Ｎ８−Ｎ９も、遊技球の通過を許容する間隔に設定されている。したがって、釘Ｎ７，Ｎ８，Ｎ９に衝突した遊技球が右下連動役物装置６２に入賞する確率は、間隔Ｎ７−Ｎ８と間隔Ｎ８−Ｎ９との大小関係に依存し、その関係は適宜調整される。
【０２１１】
右上連動役物装置６０の入賞装置８４の閉状態において、遊技球が右下連動役物装置６２の入賞装置８６に入賞すれば、その遊技球は、誘導通路２４２を経てその入賞装置８６から排出され、その後、入力レバー４３２を押し下げる。その結果、それに連動して出力レバー４３４が係合部４５０を介して右上連動役物装置６０の開閉レバー２５０を押し下げる。これにより、右上連動役物装置６０の入賞装置８４が閉状態から開状態に切り換わる。
【０２１２】
以上、閉状態にある右上連動役物装置６０の右側排出通路３９０から排出された遊技球が、釘Ｎ１１との衝突後、右下連動役物装置６２に接近する向きに進行する場合を説明したが、右下連動役物装置６２から遠ざかる向きに進行する場合には、その遊技球と釘Ｎ９との衝突後、飾り部材４８２に向かって進行し、その後、飾り部材４８２に沿って落下し、やがてアウト口４８０から排出される。釘Ｎ９は、右下連動役物装置６２の右側入口４８４の近傍に位置する３本の釘Ｎ７ないしＮ９のうち、その右側入口４８４から最も遠い位置に配置されたものである。
【０２１３】
遊技球が右上連動役物装置６０において左側投入通路３７２および左側排出通路３９２をそれらの順に通過した場合には、その遊技球は、右下連動役物装置６２の左側入口４８６の近傍に位置する釘Ｎ１０と衝突する。この釘Ｎ１０は、その左側入口４８６から遊技球が右下連動役物装置６２に入賞し難い位置に配置されているため、この釘Ｎ１０と衝突した遊技球は、右下連動役物装置６２に入賞することなく、アウト口４８０から排出される。
【０２１４】
以上の説明から明らかなように、本実施形態においては、釘Ｎ１ないしＮ９と、釘列ＮＬと、右上連動役物装置６０における上側構造物３２０，右側構造物３２２，左側構造物３２４および入賞装置８４の一対の可動片９０，９０とがそれぞれ、前記（１）項における「流れ制御手段」の一例を構成しているのである。さらに、釘Ｎ１およびＮ２と、釘Ｎ４およびＮ５と、右上連動役物装置６０の上側構造物３２０の右側面３３２および左側面３３４と、右側構造物３２２の上側面３５０および対向側面３５２と、左側構造物３２４の上側面３６０および対向側面３６２と、入賞装置８４の一対の可動片９０，９０とがそれぞれ、前記（５）項における「誘導手段」の一例を構成しているのである。
【０２１５】
さらに、本実施形態においては、右上連動役物装置６０における一対の可動片９０，９０が前記（７）項における「一対の可動部」の一例を構成し、右上連動役物装置６０の上側構造物３２０，右側構造物３２２および左側構造物３２４がそれぞれ、同項における「構造物」の一例を構成し、右上連動役物装置６０の上側構造物３２０における右側面３３２および左側面３３４，右側構造物３２２における上側面３５０および左側構造物３２４における上側面３６０が互いに共同して同項における「誘導手段」の一例を構成しているのである。
【０２１６】
さらに、本実施形態においては、右上連動役物装置６０における一対の可動片９０，９０が前記（８）項における「一対の可動部」の一例を構成し、右上連動役物装置６０の右側構造物３２２および左側構造物３２４がそれぞれ、同項における「構造物」の一例を構成しているのである。
【０２１７】
さらに、本実施形態においては、リンク機構４３０が前記（９）項における「第１の連動機構」の一例を構成し、振分け回転体１７６が前記（１１）項における「可動部」の一例を構成し、連動通路４１０および開閉レバー２５０が互いに共同して前記（１２）項における「第２の連動機構」の一例を構成し、前面カバー２９０，２９２および突出部３１０，３３８がそれぞれ前記（１５）項における「閉塞部」の一例を構成しているのである。
【０２１８】
次に、本発明の第２実施形態を説明する。ただし、本実施形態は、第１実施形態に対して主に右上連動役物装置６０における一対の可動片９０，９０が異なるのみで、他の要素については共通するため、共通する要素については、同一の符号または名称を付して引用することにより、詳細な説明を省略し、異なる要素についてのみ詳細に説明する。
【０２１９】
第１実施形態においては、右上連動役物装置６０の入賞装置８４における一対の可動片９０，９０が開状態にある場合に、一対の可動片９０，９０のうち右側のものの側面と、右側構造物３２２のうちの対向側面３５２との間における右側排出通路３９０の幅寸法が、遊技球の通過を許容する大きさに設定されている。そのため、右上連動役物装置６０の入賞装置８４の開状態において、遊技球が、遊技者の意に反して、右下連動役物装置６２の入賞装置８６に入賞してしまう可能性がある。
【０２２０】
これに対し、本実施形態においては、図１０に示すように、入賞装置８４が、第１実施形態における一対の可動片９０，９０より長い一対の可動片５００，５００を有している。入賞装置８４は、第１実施形態と共通する右側構造物３２２および左側構造物３２４を有するため、一対の可動片５００，５００のうち右側のものの側面と、右側構造物３２２の対向側面３５２との間に形成される右側排出通路５０４も、一対の可動片５００，５００のうち左側のものの側面と、左側構造物３２４の対向側面３６２との間に形成される左側排出通路５０６も、第１実施形態より狭くなっている。具体的には、いずれの排出通路５０４，５０６も、遊技球が通過し得ない幅寸法を有するものとされている。
【０２２１】
したがって、本実施形態においては、右上連動役物装置６０の入賞装置８４の開状態においては、各投入通路３７０，３７２内に進入した遊技球は、必ず、入賞装置８４に入賞する。すなわち、開状態において、遊技球が投入通路３７０，３７２および排出通路５０４，５０６をそれらの順に通過して右上連動役物装置６０から退出し、その後に右下連動役物装置６２の入賞装置８６に入賞する確率は略０なのである。
【０２２２】
よって、本実施形態においては、右上連動役物装置６０の入賞装置８４の開状態において、遊技球が右下連動役物装置６２より右上連動役物装置６０に優先的に入賞する状態が第１実施形態より理想的に達成される。
【０２２３】
図１１には、右上連動役物装置６０の入賞装置８４の閉状態において、その右上連動役物装置６０の右側投入通路３７０内に進入した遊技球が右側排出通路５０４を経て右上連動役物装置６０から退出する様子が示されている。この場合、その遊技球は、第１実施形態と同様にして、右下連動役物装置６２の入賞装置８６に入賞する場合と、入賞しない場合とが存在する。遊技球が右下連動役物装置６２の入賞装置８６に入賞すれば、右上連動役物装置６０の入賞装置８４が閉状態から開状態に切り換わる。
【０２２４】
以上、本発明の実施の形態のいくつかを図面に基づいて詳細に説明したが、これらは例示であり、前記［発明の開示］の欄に記載の態様を始めとして、当業者の知識に基づいて種々の変形、改良を施した他の形態で本発明を実施することが可能である。
【０２２５】
例えば、以上説明したいくつかの実施形態はいずれも、本発明をパチンコ機に適用した場合の実施形態であるが、本発明はアレンジボール遊技機等、他の種類の遊技機に適用することが可能である。
【０２２６】
また、それら実施形態においては、遊技盤２０上において右下に位置する入賞装置８６が３回開き方式、右上に位置する入賞装置８４が５回開き方式をそれぞれ採用しているが、各入賞装置８６，８４の連続入賞数は適宜変更することが可能である。例えば、各入賞装置８６，８４の連続入賞数が、入賞装置８６の方が入賞装置８４より多くなるように設定することも可能である。
【０２２７】
また、それら実施形態においては、入賞装置８６を閉状態から開状態に移行させるトリガとなる動作として、振分け装置１５０の特別入賞口１４０への遊技球の入賞が選択されているが、それに限定されず、例えば、遊技領域２２内に適宜設けられたチャッカ式の入賞装置への遊技球の入賞を選択することが可能である。
【０２２８】
また、それら実施形態においては、入賞装置８６，８４と振分け装置１５０とが一緒にユニット化されているが、入賞装置８６，８４のみをユニット化することが可能である。この場合、それら入賞装置８６，８４間の機械的連動を実現するために遊技盤２０の裏に設置される連動機構（リンク機構４３０）をも入賞装置８６，８４と一緒にユニット化することが可能である。
【０２２９】
また、それら実施形態においては、入賞装置８６が入賞装置８４のちょうど真下に配置されているが、上下関係は維持しつつも多少左右にずれるように配置したり、横に並ぶように配置することが可能である。
【０２３０】
また、それら実施形態においては、各連動役物装置６０，６２が、入賞装置と構造物とを一体的に有するように構成されているが、それら入賞装置と構造物とを互いに分離して遊技領域２２内に配置することが可能である。
【０２３１】
以上例示的に列挙した形態以外の形態でも本発明を実施することが可能であることは勿論である。
【図面の簡単な説明】
【０２３２】
【図１】本発明の第１実施形態に従うパチンコ機を示す分解斜視図である。
【図２】図１における遊技盤２０を示す正面図である。
【図３】図２におけるセンタ役物装置５０を示す正面断面図である。
【図４】図３に示すセンタ役物装置５０を示す側面断面図である。
【図５】図３における特別入賞装置７０の作動を説明するための側面断面図である。
【図６】図２に示す遊技盤２０のうち右上連動役物装置６０および右下連動役物装置６２とそれら役物装置６０，６２の周辺部とを拡大して示す正面図である。
【図７】図６における右下連動役物装置６２を示す側面断面図である。
【図８】図２に示す遊技盤２０をセンタ役物装置５０，右上連動役物装置６０および右下連動役物装置６２に関連する部分に関して示す背面図である。
【図９】図２に示す遊技盤２０をセンタ役物装置５０，右上連動役物装置６０および右下連動役物装置６２に関連する部分に関して示す別の背面図である。
【図１０】本発明の第２実施形態に従うパチンコ機における遊技盤２０のうち右上連動役物装置６０および右下連動役物装置６２とそれら役物装置６０，６２の周辺部とを示す正面図である。
【図１１】図１０に示す遊技盤２０のうち右上連動役物装置６０および右下連動役物装置６２とそれら役物装置６０，６２の周辺部とを示す別の正面図である。
【図１】
2005312750.tif 000003
【図２】
2005312750.tif 000004
【図３】
2005312750.tif 000005
【図４】
2005312750.tif 000006
【図５】
2005312750.tif 000007
【図６】
2005312750.tif 000008
【図７】
2005312750.tif 000009
【図８】
2005312750.tif 000010
【図９】
2005312750.tif 000011
【図１０】
2005312750.tif 000012
【図１１】
2005312750.tif 000013